(57)【要約】【課題】意図しない媒体の切り替え処理を防止し、印刷処理の効率の低下を抑制する。【解決手段】印刷装置は、複数の媒体を切り替え可能な媒体切替部と、給紙されている前記媒体の種類を取得する媒体取得部と、印刷ジョブが指定する前記媒体の種類を取得する印刷ジョブ情報取得部と、タイマーと、を備え、印刷ジョブを処理する前に、前記印刷ジョブが指定する媒体の種類と印刷装置が給紙している媒体が異なるため、前記印刷ジョブが指定する前記媒体への切り替えが入る場合には、タイマーが一定時間カウントするまで、前記媒体切替部に前記媒体の切り替え処理を待機させる。【選択図】図３
2018196949.tif 000002
【特許請求の範囲】
【請求項１】
複数の媒体を切り替え可能な媒体切替部と、
給紙されている前記媒体の種類を取得する媒体取得部と、
印刷ジョブが指定する前記媒体の種類を取得する印刷ジョブ情報取得部と、
タイマーと、を備え、
印刷ジョブを処理する前に、
前記印刷ジョブが指定する媒体の種類と印刷装置が給紙している媒体が異なるため、前記印刷ジョブが指定する前記媒体への切り替えが入る場合には、タイマーが一定時間カウントするまで、前記媒体切替部に前記媒体の切り替え処理を待機させることを特徴とする印刷装置。
【請求項２】
請求項１に記載の印刷装置において、
前記媒体切替部による前記媒体の切り替え処理を待機させる待機時間は、印刷待機中の前記印刷ジョブの数が少ないほど長いことを特徴とする印刷装置。
【請求項３】
複数の媒体を切り替え可能な印刷装置であって、
給紙されている前記媒体の種類を取得する媒体取得部と、
印刷ジョブが指定する前記媒体の種類を取得する印刷ジョブ情報取得部と、を備え、
印刷待機中の前記印刷ジョブにおける前記媒体の切り替えが発生するまでの時間に応じて、前記媒体の切り替え処理を開始するまでの待機時間を変更することを特徴とする印刷装置。
【請求項４】
請求項３に記載の印刷装置において、
前記待機時間は、前記媒体の切り替えが発生するまでの時間が短いほど長いことを特徴とする印刷装置。
【請求項５】
請求項１から請求項４のいずれか一項に記載の印刷装置において、
前記待機時間の間に、給紙されていない前記媒体の予備搬送処理を行うことを特徴とする印刷装置。
【請求項６】
請求項１から請求項５のいずれか一項に記載の印刷装置において、
印刷中の媒体に印刷可能な印刷ジョブを受け付けた場合には、前記印刷中の媒体に印刷可能な印刷ジョブを、印刷待機中の他の媒体に印刷する印刷ジョブの前に挿入することを特徴とする印刷装置。
【請求項７】
複数の媒体を切り替え可能な印刷装置を制御する印刷制御装置であって、
給紙されている媒体の種類を取得する媒体取得部と、
印刷ジョブが指定する媒体の種類を取得する印刷ジョブ情報取得部と、を備え、
印刷ジョブを投入する際に、
前記媒体の切り替えが入る場合には、印刷待機中の前記印刷ジョブの数に応じて、前記媒体の切り替え処理を開始するまでの待機時間を変更することを特徴とする印刷制御装置。
【請求項８】
複数の媒体を切り替え可能な印刷装置の印刷方法であって、
給紙されている前記媒体の種類を取得し、
印刷ジョブが指定する前記媒体の種類を取得し、
タイマーによって時間を取得し、
印刷ジョブを処理する前に、
前記印刷ジョブが指定する媒体の種類と前記印刷装置が給紙している媒体が異なるため、前記印刷ジョブが指定する前記媒体への切り替えが入る場合には、タイマーが一定時間カウントするまで、前記媒体の切り替え処理を待機させることを特徴とする印刷方法。
【発明の詳細な説明】
【技術分野】
【０００１】
本発明は、印刷制御装置、印刷装置及び印刷方法に関する。
【背景技術】
【０００２】
従来、印刷部に供給された印刷媒体の媒体属性と、印刷ジョブが要求する媒体属性とに基づいて、印刷ジョブの処理順を並び替える印刷装置が知られている（例えば、特許文献１参照）。
【先行技術文献】
【特許文献】
【０００３】
【特許文献１】特開２０１６−７７８５号公報
【発明の概要】
【発明が解決しようとする課題】
【０００４】
しかしながら、複数の媒体を切り換える際の媒体のジョブ処理については、更に利便性を向上させる必要がある。
【課題を解決するための手段】
【０００５】
本発明は、上述の課題の少なくとも一部を解決するためになされたものであり、以下の形態または適用例として実現することが可能である。
【０００６】
［適用例１］本適用例にかかる印刷装置は、複数の媒体を切り替え可能な媒体切替部と、給紙されている前記媒体の種類を取得する媒体取得部と、印刷ジョブが指定する前記媒体の種類を取得する印刷ジョブ情報取得部と、タイマーと、を備え、印刷ジョブを処理する前に、前記印刷ジョブが指定する媒体の種類と印刷装置が給紙している媒体が異なるため、前記印刷ジョブが指定する前記媒体への切り替えが入る場合には、タイマーが一定時間カウントするまで、前記媒体切替部に前記媒体の切り替え処理を待機させることを特徴とする。
【０００７】
この構成によれば、例えば、間違った媒体設定のデータを含む印刷ジョブを送信してしまった場合であっても、印刷ジョブの数に応じてタイマーが一定時間カウントするまで印刷ジョブを処理する前に待機時間が設けられているため、すぐに媒体の切り替え処理に入らない。そして、待機時間の間に、間違った媒体設定の印刷ジョブをキャンセル処理することが可能となる。従って、意図しない媒体の切り替え処理を防止し、印刷処理の効率の低下を抑制することができる。なお、媒体の種類としては、紙種（例えば、光沢紙、マット紙や普通紙等）やサイズ等が挙げられる。
【０００８】
［適用例２］上記適用例にかかる印刷装置では、前記媒体切替部による前記媒体の切り替え処理を待機させる待機時間は、印刷待機中の前記印刷ジョブの数が少ないほど長いことを特徴とする。
【０００９】
印刷待機中の印刷ジョブ数が少ない場合には、次の印刷ジョブの処理がすぐに開始されてしまう可能性が高い。このため、上記構成によれば、印刷ジョブ数が少ないほど長い待機時間が設定されるため、間違った印刷ジョブによる媒体の切り替え処理がなされることを防止することができる。
【００１０】
［適用例３］本適用例にかかる印刷装置は、複数の媒体を切り替え可能な印刷装置であって、給紙されている前記媒体の種類を取得する媒体取得部と、印刷ジョブが指定する前記媒体の種類を取得する印刷ジョブ情報取得部と、を備え、印刷待機中の前記印刷ジョブにおける前記媒体の切り替えが発生するまでの時間に応じて、前記媒体の切り替え処理を開始するまでの待機時間を変更することを特徴とする。
【００１１】
この構成によれば、例えば、間違った媒体設定のデータを含む印刷ジョブを送信してしまった場合であっても、媒体の切り替えが発生するまでの時間に応じた待機時間が設けられているため、すぐに媒体の切り替え処理に入らない。そして、待機時間の間に、間違った媒体設定の印刷ジョブをキャンセル処理することが可能となる。従って、意図しない媒体の切り替え処理を防止し、印刷処理の効率の低下を抑制することができる。
【００１２】
［適用例４］上記適用例にかかる印刷装置では、前記待機時間は、前記媒体の切り替えが発生するまでの時間が短いほど長いことを特徴とする。
【００１３】
媒体の切り替えが発生する時間が短い場合（例えば、印刷処理時間が短い印刷ジョブが連続した場合）には、次の印刷ジョブの処理がすぐに開始されてしまう可能性が高い。このため、上記構成によれば、媒体の切り替えが発生する時間が短いほど長い待機時間が設定されるため、間違った印刷ジョブがすぐに処理されることを防止することができる。
【００１４】
［適用例５］上記適用例にかかる印刷装置では、前記待機時間の間に、給紙されていない前記媒体の予備搬送処理を行うことを特徴とする。
【００１５】
この構成によれば、待機時間の間に、給紙されていない側の媒体の予備搬送処理（例えば、媒体先端部の頭出し等）が行なわれる。これにより、媒体の切り替え処理が開始された場合には速やかに媒体の切り替えを行うことができる。
【００１６】
［適用例６］上記適用例にかかる印刷装置では、印刷中の媒体に印刷可能な印刷ジョブを受け付けた場合には、前記印刷中の媒体に印刷可能な印刷ジョブを、印刷待機中の他の媒体に印刷する印刷ジョブの前に挿入することを特徴とする。
【００１７】
この構成によれば、受け付けた印刷ジョブは印刷中の印刷ジョブに続けて同じ媒体に対して印刷処理される。これにより、媒体の切り替え処理の回数が少なくなるため、印刷処理の効率を高めることができる。
【００１８】
［適用例７］本適用例にかかる印刷制御装置は、複数の媒体を切り替え可能な印刷装置を制御する印刷制御装置であって、給紙されている媒体の種類を取得する媒体取得部と、印刷ジョブが指定する媒体の種類を取得する印刷ジョブ情報取得部と、を備え、印刷ジョブを投入する際に、前記媒体の切り替えが入る場合には、印刷待機中の前記印刷ジョブの数に応じて、前記媒体の切り替え処理を開始するまでの待機時間を変更することを特徴とする。
【００１９】
この構成によれば、例えば、間違った媒体設定のデータを含む印刷ジョブを送信してしまった場合であっても、印刷ジョブの数に応じて待機時間が設けられているため、すぐに媒体の切り替え処理に入らない。そして、待機時間の間に、間違った媒体設定の印刷ジョブをキャンセル処理することが可能となる。従って、意図しない媒体の切り替え処理を防止し、印刷処理の効率の低下を抑制することができる。
【００２０】
［適用例８］本適用例にかかる印刷方法は、複数の媒体を切り替え可能な印刷装置の印刷方法であって、給紙されている前記媒体の種類を取得し、印刷ジョブが指定する前記媒体の種類を取得し、タイマーによって時間を取得し、印刷ジョブを処理する前に、前記印刷ジョブが指定する媒体の種類と前記印刷装置が給紙している媒体が異なるため、前記印刷ジョブが指定する前記媒体への切り替えが入る場合には、タイマーが一定時間カウントするまで、前記媒体の切り替え処理を待機させることを特徴とする。
【００２１】
この構成によれば、例えば、間違った媒体設定のデータを含む印刷ジョブを送信してしまった場合であっても、印刷ジョブの数に応じてタイマーが一定時間カウントするまで印刷ジョブを処理する前に待機時間が設けられているため、すぐに媒体の切り替え処理に入らない。そして、待機時間の間に、間違った媒体設定の印刷ジョブをキャンセル処理することが可能となる。従って、意図しない媒体の切り替え処理を防止し、印刷処理の効率の低下を抑制することができる。
【図面の簡単な説明】
【００２２】
【図１】第１実施形態にかかる印刷装置の構成を示す概略図。
【図２】第１実施形態にかかる媒体の搬送経路の構成を示す概略図。
【図３】第１実施形態にかかる印刷装置の制御部の構成を示すブロック図。
【図４】第１実施形態にかかる印刷方法を説明する説明図。
【図５】第１実施形態にかかる印刷方法を説明する説明図。
【図６】第１実施形態にかかる印刷方法を説明する説明図。
【図７】第２実施形態にかかる印刷装置の制御部の構成を示すブロック図。
【図８】第２実施形態にかかる印刷方法を説明する説明図。
【図９】第２実施形態にかかる印刷方法を説明する説明図。
【図１０】第２実施形態にかかる印刷方法を説明する説明図。
【図１１】第２実施形態にかかる印刷方法を説明する説明図。
【図１２】第３実施形態にかかる印刷制御装置の制御部の構成を示すブロック図。
【図１３】変形例１にかかる印刷方法を説明する説明図。
【図１４】変形例１にかかる印刷方法を説明する説明図。
【図１５】変形例１にかかる印刷方法を説明する説明図。
【発明を実施するための形態】
【００２３】
以下、本発明の実施形態について、図面を参照して説明する。なお、以下の各図においては、各部材等を認識可能な程度の大きさにするため、各部材等の尺度を実際とは異ならせて示している。また、各図に付記する座標系において、Ｚ軸方向が上下方向、−Ｚ方向が鉛直方向、Ｙ軸方向が前後方向、＋Ｙ方向が前方向、Ｘ軸方向が左右方向、＋Ｘ方向が左方向、Ｘ−Ｙ平面が、床面と平行な面としている。
【００２４】
（第１実施形態）
図１は、本実施形態にかかる印刷装置の構成を示す概略図である。また、図２は、印刷装置における媒体の搬送経路の構成を示す概略図である。
本実施形態の印刷装置１００は、プリンターであり、例えば、ＪＩＳ規格のＡ０判やＢ０判などといった比較的大きなサイズの印刷媒体に印刷可能な大型のインクジェット式プリンターである。また、媒体としてのロール紙Ｓは、ロール状に巻かれた状態で供給される。
印刷装置１００は、装置本体２および装置本体２を支持するスタンド３などから構成されている。装置本体２は、印刷部１０、ロール紙除給部２０（媒体切替部に相当）、ロール紙格納部３０、記憶部４０、制御部５０、操作パネル６０、外部機器との入出力インターフェイスなどから構成されている。スタンド３は、その下端に、印刷装置１００が床面を移動可能とするための複数のキャスター４を備え、上部に装置本体２を載せ支持している。
【００２５】
印刷部１０は、ロール紙Ｓの表面にインクを吐出して画像を印刷するインクジェットヘッド１１、インクジェットヘッド１１を支持し、ロール紙Ｓの表面上を走査移動させるキャリッジ１２、印刷部１０においてロール紙Ｓを支持するプラテン１３などを備えている。
【００２６】
ロール紙除給部２０は、ロール紙格納部３０に格納された印刷前のロール紙Ｓを印刷部１０に供給する、あるいは、印刷部１０からロール紙格納部３０側に戻す複数の搬送ローラー２１（図２において２１ａ〜２１ｅ）を備えている。搬送ローラー２１は、装置本体２の内部において、ロール紙Ｓの搬送経路（印刷部１０までの経路）を形成するために複数の位置に設けられたローラーであり、駆動ローラーや駆動ローラーに従動してロール紙Ｓをガイドする従動ローラーなどから構成されている。
【００２７】
また、ロール紙除給部２０は、搬送経路内において、ロール紙Ｓが各搬送ローラー２１間をスムーズに搬送（印刷部１０への供給、および、ロール紙格納部３０側への巻き戻し）されるように構成されている。本実施形態のロール紙除給部２０では、複数のロール紙Ｓ（第１ロール紙Ｓ１、第２ロール紙Ｓ２）を切り替え可能に構成にされている。具体的には、搬送ローラー２１は、図２に示す搬送ローラー２１ａ〜２１ｃ、２１ｅのように、必要ないくつかの部位において、駆動ローラーと、駆動ローラーとの間にロール紙Ｓを挟むように付勢されて配置される従動ローラーとで構成されている。また、ロール紙Ｓが、各搬送ローラー２１間をスムーズに搬送されるように位置を規制するガイド部（図示省略）を備えている。ガイド部とは、例えば、図２において、搬送ローラー２１ａから搬送ローラー２１ｂへ、または、搬送ローラー２１ｅから搬送ローラー２１ｂへ、ロール紙Ｓが搬送される場合に、ロール紙Ｓの先端部がスムーズに搬送ローラー２１ｂを構成する駆動ローラーと従動ローラーとの間に挿入されるようにするガイド板などである。
【００２８】
ロール紙格納部３０は、装置本体２の後側の上部に設けられた第１格納部３１と、装置本体２の下側に配置された第２格納部３２とを備える。第１格納部３１および第２格納部３２には、それぞれ印刷前のロール紙Ｓを格納することができる。また、それぞれの格納部には種類（紙種（例えば、光沢紙、マット紙や普通紙等）、材質やサイズなど）の異なるロール紙Ｓ（第１ロール紙Ｓ１、第２ロール紙Ｓ２）を格納することができる。
【００２９】
第１格納部３１は、ロール紙Ｓをその軸方向両側から保持する一対のホルダー３１ｈを備えている。また、第１格納部３１は、ホルダー３１ｈに回転動力を伝達するモーター（図示省略）を備え、このモーターの駆動によりホルダー３１ｈに保持された第１ロール紙Ｓ１が回転することにより、第１ロール紙Ｓ１が送り出されたり、また巻き取られたりする。同様に、第２格納部３２は、第２ロール紙Ｓ２をその軸方向両側から保持する一対のホルダー３２ｈを備えている。また、第２格納部３２は、ホルダー３２ｈに回転動力を伝達するモーター（図示省略）を備え、このモーターの駆動によりホルダー３２ｈに保持された第２ロール紙Ｓ２が回転することにより、第２ロール紙Ｓ２が送り出されたり、また巻き取られたりする。
【００３０】
記憶部４０は、ハードディスクドライブ（ＨＤＤ）やメモリーカードなどの書き換え可能な記憶媒体である。記憶部４０には、制御部５０が動作するソフトウェア（プログラム）や、印刷ジョブなどが記憶される。
印刷ジョブは、印刷を実行させるための一連の要求情報（詳細は後述する）であり、記憶部４０にスプールされる。
【００３１】
制御部５０は、ＣＰＵ（演算部）や、ＲＡＭ、ＲＯＭなどの記憶部を備え（図示省略）印刷装置１００全体の集中制御を行う。詳細な内容は後述する。
【００３２】
操作パネル６０は、ヒューマンインターフェイスとしての入出力部であり、表示ディスプレイと入力手段とを備えている。制御部５０に対する指示や選択などを行うことができる。
【００３３】
印刷装置１００（ロール紙除給部２０）は、第１格納部３１と第２格納部３２のそれぞれに格納されたロール紙Ｓ（第１ロール紙Ｓ１、第２ロール紙Ｓ２）の内、いずれか一方のロール紙Ｓを印刷部１０に供給して印刷を行う。いずれのロール紙Ｓを用いるかは、実行する印刷ジョブの要求や操作パネル６０からの設定（選択）に従う。
【００３４】
ロール紙Ｓは、第１格納部３１あるいは第２格納部３２からロール紙除給部２０を経て印刷部１０に入り、印刷後に排出部２２を経て排出される。排出部２２は、印刷後のロール紙Ｓを印刷部１０から排出する複数の搬送ローラー２３（図２において２３ａ，２３ｂ）を備えている。搬送ローラー２３は、装置本体２の内部において、ロール紙Ｓの排出経路を形成するために複数の位置に設けられたローラーであり、駆動ローラーや駆動ローラーに従動してロール紙Ｓをガイドする従動ローラーなどから構成されている。
また、排出部２２には、ロール紙Ｓを切断するためのカッター２４が備えられている。
【００３５】
また、図２に示すように、第１格納部３１に格納された第１ロール紙Ｓ１の搬送経路は、第１格納部３１から、搬送ローラー２１ａ、搬送ローラー２１ｂ、搬送ローラー２１ｃを経て、印刷部１０に入り、搬送ローラー２３ａ、搬送ローラー２３ｂを経て排出されるまでの経路である。また、第２ロール紙Ｓ２の搬送経路は、第２格納部３２から、搬送ローラー２１ｄ、搬送ローラー２１ｅ、搬送ローラー２１ｂ、搬送ローラー２１ｃを経て、印刷部１０に入り、搬送ローラー２３ａ、搬送ローラー２３ｂを経て排出されるまでの経路である。
【００３６】
また、例えば、第１ロール紙Ｓ１から第２ロール紙Ｓ２に切り替える場合には、まず、印刷された領域の第１ロール紙Ｓ１を、カッター２４の切断位置より下流側に搬出（排出）し、カッター２４によって第１ロール紙Ｓ１を切断する。次に、切断位置より上流側の第１ロール紙Ｓ１を、その先端位置が、搬送ローラー２１ａと搬送ローラー２１ｂとの間の領域に来るまで巻き戻す。巻き戻しは、制御部５０の制御の下に、搬送ローラー２１ａ，２１ｂ，２１ｃ，２３ａ，２３ｂ、および第１格納部３１に備えられたモーターによって行われる。
次に、その先端位置が搬送ローラー２１ｅと搬送ローラー２１ｂとの間の領域にセットされていた第２ロール紙Ｓ２が、搬送ローラー２１ｂ、２１ｃ、２３ａに順次導かれて、印刷部１０にセットされる。
【００３７】
図３は、印刷装置の制御部の構成を示すブロック図である。印刷装置１００は、入出力インターフェイスを通じて、直接、あるいはネットワーク５を介してパーソナルコンピューター８（以下ＰＣ８）と接続される。印刷装置１００が実行する印刷ジョブは、例えば、ＰＣ８からインプット（受信）することができる。ネットワーク５には、有線あるいは無線によるＬＡＮや、インターネット、公衆回線、専用回線などを用いることができる。
【００３８】
印刷装置１００は、制御部５０の機能として、印刷ジョブ情報取得部５１、待機時間設定部５２、印刷制御部５３、媒体取得部５４などを備えている。
【００３９】
印刷ジョブ情報取得部５１は、印刷ジョブを受信し、印刷ジョブにおいて指定されたロール紙Ｓの種類等の情報を取得する。印刷ジョブ情報取得部５１は、受信した印刷ジョブを記憶部４０にスプールする。
媒体取得部５４は、給紙されているロール紙Ｓの種類を取得するものである。具体的には、第１格納部３１に格納されている第１ロール紙Ｓ１の種類及び第２格納部３２に格納されている第２ロール紙Ｓ２の種類の情報を取得するとともに、現在印刷実行中にプラテン１３上に供給されているロール紙Ｓ（第１ロール紙Ｓ１または第２ロール紙Ｓ２）の情報を取得する。第１格納部３１に格納されている第１ロール紙Ｓ１の種類及び第２格納部３２に格納されている第２ロール紙Ｓ２の種類についての情報は、操作パネル６０に入力することで入力情報を取得することにより取得可能となる。また、現在印刷実行中にプラテン１３上に供給されているロール紙Ｓの特定については、ロール紙除給部２０の実行情報を取得することにより可能となる。
【００４０】
待機時間設定部５２は、計時機能を有するタイマーを含むとともに、印刷ジョブを投入する際に、ロール紙Ｓの切り替えが入る場合には、印刷待機中の印刷ジョブの数に応じて、ロール紙Ｓの切り替え処理を開始するまでの待機時間を変更可能（タイマーの設定時間を変更可能）にする。すなわち、印刷ジョブを印刷実行に移行する際に、当該印刷ジョブにかかる印刷を実行するにあたり、ロール紙Ｓの切り替えが入る場合には、すでに記憶部４０にスプールされている印刷ジョブの数に応じて、ロール紙Ｓの切り替え処理を開始するまでの待機時間を設定する。
待機時間の設定は、待機時間設定部５２によって適宜設定することができる。例えば、待機時間設定部５２には、印刷待機中の印刷ジョブの数と待機時間とのテーブルデータを有し、制御部５０において記憶部４０にスプールされている印刷待機中の印刷ジョブの数を随時読み出し、テーブルデータによって割り付けられた待機時間を設定することができる。この場合、テーブルデータは印刷待機中の印刷ジョブの数が少ないほど待機時間が長くなるように作成されている。
【００４１】
印刷制御部５３は、印刷ジョブの要求情報に従い第１ロール紙Ｓ１（または第２ロール紙Ｓ２）に対して印刷処理を行う。具体的には、印刷制御部５３は、ロール紙格納部３０、ロール紙除給部２０、印刷部１０、排出部２２のそれぞれを駆動制御してロール紙Ｓに所望の画像を印刷する。
【００４２】
ここで、印刷ジョブについて説明する。印刷ジョブは、ＰＣ８が印刷装置１００に対して発する印刷要求の情報であり、例えば、印刷データ、印刷フォーマット、印刷媒体の種類、印刷媒体のサイズ、印刷部数、自動カット指定、印刷処理の優先の有無などの情報を含んでいる。
【００４３】
印刷データは、印刷する画像を形成するためのデータであり、例えば、デジタルカメラなどの画像取得装置から得られる汎用画像データ（例えばＲＧＢデータ）、および、この汎用画像データを印刷装置１００が駆動されるプリンター制御データ（例えばＥＳＣ／Ｐ（登録商標、Epson Standard Code for Printer）の制御コード）に変換済のデータのいずれか、またはその両方のデータが含まれる。
【００４４】
印刷フォーマットは、印刷媒体に対して印刷する際の書式を指定する情報であり、例えば余白の大きさおよびその変更の可否などの情報を含んでいる。
【００４５】
印刷媒体の種類の情報は、印刷するロール紙Ｓの種類を指定する情報である。ロール紙Ｓの種類の指定例としては、例えば、光沢紙、マット紙、普通紙等である。なお、印刷媒体の種類の情報は、ロール紙格納部３０に格納中の第１ロール紙Ｓ１及び第２ロール紙Ｓ２以外の種類が指定される場合もあり得る。
【００４６】
印刷媒体のサイズの情報は、指定サイズ（指定幅）のロール紙Ｓに限定する情報や、許容サイズの範囲に入るロール紙Ｓを指定する情報である。複数のロール紙Ｓの指定や複数のサイズあるいは許容範囲、変更の可否などの情報を含んでも良い。
【００４７】
印刷部数の情報は、印刷ジョブで印刷される画像の数を指定する情報である。複数の画像によるセットで画像が形成される場合には、そのセット数を指定する。
【００４８】
自動カット指定の情報は、印刷後に、カッター２４による切断を行うか否かの情報やカット位置を指定する情報などである。
【００４９】
印刷処理の優先の有無の情報は、印刷ジョブの印刷実行にかかる緊急性の有無を含む情報である。
【００５０】
次に、印刷装置１００にかかる印刷方法について説明する。
本実施形態の印刷装置１００では、印刷ジョブを処理する前に、印刷ジョブが指定するロール紙Ｓの種類と印刷装置１００が給紙しているロール紙Ｓが異なるため、印刷ジョブが指定するロール紙Ｓへの切り替えが入る場合には、タイマーが一定時間カウントするまで、ロール紙除給部２０にロール紙Ｓの切り替え処理を待機させる。詳細には、ロール紙除給部２０によるロール紙Ｓの切り替え処理を待機させる待機時間は、印刷待機中の印刷ジョブの数が少ないほど長くする。図４から図６は印刷方法を説明する説明図である。
【００５１】
まず、図４では、５つの印刷ジョブＡ，Ｂ，Ｃ，Ｄ，Ｅが順に記憶部４０にスプールされ、印刷ジョブＡが印刷実行に投入（移行）された状態を示している。従って、図４の例では、４つの印刷ジョブＢ，Ｃ，Ｄ，Ｅは印刷待機中の印刷ジョブである。そして、各印刷ジョブＡ，Ｂ，Ｃ，Ｄ，Ｅには、印刷に使用されるロール紙Ｓ（第１ロール紙Ｓ１または第２ロール紙Ｓ２）が指定されている。
この場合、印刷ジョブＡの印刷処理が終了すると、印刷ジョブＢが印刷実行に投入される。その後、印刷ジョブＣが印刷実行に投入され、次いで、印刷ジョブＤが印刷実行に投入され、次いで、印刷ジョブＥが印刷実行に投入される。ここで、印刷ジョブＡ，Ｂ，Ｃ，Ｄでは第１ロール紙Ｓ１が指定されている。一方、印刷ジョブＥは第２ロール紙Ｓ２が指定されている。従って、印刷ジョブＥが印刷実行に投入される際にはロール紙Ｓの切り替え、すなわち、第１ロール紙Ｓ１から第２ロール紙Ｓ２への切り替えが入る。
ここで、図４の例では、印刷待機中の印刷ジョブＢ，Ｃ，Ｄ，Ｅの数が比較的多いため、すなわち、印刷ジョブＥにおいてロール紙Ｓの切り替えが入る前までの印刷待機中の印刷ジョブＢ，Ｃ，Ｄの数が比較的多いため、印刷ジョブＥにおけるロール紙Ｓの切り替え処理を開始するまでの待機時間を０ｓｅｃ．と設定する。すなわち、例えば、印刷ジョブＥにおいてロール紙Ｓを誤って設定してしまった場合であっても、他の印刷ジョブＢ，Ｃ，Ｄの印刷実行中に、印刷ジョブＥにかかるロール紙Ｓの設定に誤りがあったことを気付くことが可能なため、上記待機時間を極力省くことができる。
なお、印刷ジョブＥが印刷実行に投入される前に、印刷ジョブＥで設定されている第２ロール紙Ｓ２の設定が間違っていると気付いた場合は、例えば、操作パネル６０で印刷ジョブＥをキャンセル処理すればよい。
【００５２】
次に、図５の例について説明する。図５では、２つの印刷ジョブＡ，Ｅが順に記憶部４０にスプールされ、印刷ジョブＡが印刷実行に投入（移行）された状態を示している。従って、図５の例では、１つの印刷ジョブＥが印刷待機中の印刷ジョブである。そして、印刷ジョブＡは第１ロール紙Ｓ１で印刷が実行され、印刷ジョブＥは第２ロール紙Ｓ２が指定されている。従って、印刷ジョブＡに次いで印刷ジョブＥが印刷実行に投入される際には第１ロール紙Ｓ１から第２ロール紙Ｓ２への切り替えが入る。
ここで、図５の例では、印刷ジョブＥが印刷実行に投入する際に、第１ロール紙Ｓ１から第２ロール紙Ｓ２の切り替え処理を開始するまでの待機時間を２０ｓｅｃ．と設定する。すなわち、図５の例では、図４の例に比べて印刷待機中の印刷ジョブの数が少ないため、待機時間をより長く設定する。これにより、第１ロール紙Ｓ１から第２ロール紙Ｓ２に切り替わるまでの時間猶予がより長く付与される。すなわち、待機時間を２０ｓｅｃ．の間に、ロール紙Ｓの設定に誤りがあったことを気付くことが可能となる。なお、印刷ジョブＥが印刷実行に投入される前に、印刷ジョブＥで設定されている第２ロール紙Ｓ２の設定が間違っていると気付いた場合は、例えば、操作パネル６０で印刷ジョブＥをキャンセル処理すればよい。この時、操作パネル６０にロール紙を切り換え中であることを報知して待機するとともに、用紙切り替えを指示するボタンを表示し、用紙切り替えを指示するボタンを押下された場合には、待機時間をキャンセルして、すぐにロール紙の切り換えを実行するようにしてもよい。これは、ユーザーがロール紙をすぐに切り換えて印刷してもよいという意志があるときは、用紙設定が間違っている可能性が低いため、すぐにロール紙を切り換えて印刷を実行することにより待機時間がなくなることにより、ユーザーの待ち時間がなくなるためユーザー利便性が向上する。
【００５３】
なお、図５の例において、待機時間の間に、給紙されていないロール紙Ｓの予備搬送処理を行う。図５の例では、給紙されていない第２ロール紙Ｓ２の先端部が、搬送ローラー２１ｂと搬送ローラー２１ｅとの間に配置されるように、ロール紙除給部２０を駆動させ、第１ロール紙Ｓ１から第２ロール紙Ｓ２に切り替えるための予備的な搬送処理を行う予備搬送処理（例えば、媒体先端部の頭出し等）が行なわれる（図２参照）。これにより、媒体の切り替え処理が開始された場合には速やかに媒体の切り替えを行うことができる。
【００５４】
次に、図６の例について説明する。図６では、印刷実行中の印刷ジョブが無い状態において、記憶部４０に印刷ジョブＥがスプールされた状態を示している。そして、印刷ジョブＥは第２ロール紙Ｓ２が指定されている。従って、例えば、印刷ジョブＥの前のある印刷ジョブが第１ロール紙Ｓ１で印刷実行されていた場合には、印刷ジョブＥが印刷実行に投入される際には第１ロール紙Ｓ１から第２ロール紙Ｓ２への切り替えが入る。
ここで、図６の例では、印刷ジョブＥを印刷実行に投入する際には、第１ロール紙Ｓ１から第２ロール紙Ｓ２の切り替え処理を開始するまでの待機時間を３０ｓｅｃ．と設定する。すなわち、図６の例では、図４の例に比べてさらに印刷待機中の印刷ジョブの数が少なく、直ちに印刷ジョブＥが印刷実行に投入される可能性が高いため、待機時間をより長く設定する。これにより、第１ロール紙Ｓ１から第２ロール紙Ｓ２に切り替わるまでの時間猶予がより長く付与される。すなわち、待機時間をより長い３０ｓｅｃ．とすることで、この間に、ロール紙Ｓの設定に誤りがあったことを気付くことが可能となる。なお、印刷ジョブＥが印刷実行に投入される前に、印刷ジョブＥで設定されている第２ロール紙Ｓ２の設定が間違っていると気付いた場合は、例えば、操作パネル６０で印刷ジョブＥをキャンセル処理すればよい。そして、図６の例において、待機時間の間に、給紙されていないロール紙Ｓの予備搬送処理を行ってもよい。なお、予備搬送処理は図５の例と同様なので説明を省略する。
【００５５】
以上、本実施形態によれば、以下の効果を得ることができる。
【００５６】
印刷待機中の印刷ジョブの数が少ない場合には、次の印刷ジョブの処理がすぐに開始されてしまう可能性が、印刷ジョブ数が少ないほど長い待機時間が設定されるため、間違った印刷ジョブがすぐに処理されることを防止し、印刷処理の効率の低下を抑制することができる。
【００５７】
（第２実施形態）
次に、第２実施形態について説明する。本実施形態の印刷装置１００ａは、印刷部１０、ロール紙除給部２０、ロール紙格納部３０、記憶部４０、制御部５０、操作パネル６０、外部機器との入出力インターフェイスなどから構成されている。なお、これらの構成は第１実施形態と同様なので説明を省略する。
図７は印刷装置の制御部の構成を示すブロック図である。図７に示すように、印刷装置１００ａは、制御部５０の機能として、印刷ジョブ情報取得部５１、待機時間設定部５２、印刷制御部５３、媒体取得部５４、さらに印刷ジョブ挿入設定部５５などを備えている。なお、印刷ジョブ挿入設定部５５以外の構成は第１実施形態の構成と同様なので説明を省略する。
【００５８】
印刷ジョブ挿入設定部５５は、印刷中のロール紙Ｓに印刷可能な印刷ジョブを受け付けた場合には、印刷中のロール紙Ｓに印刷可能な印刷ジョブを、印刷待機中の他のロール紙Ｓに印刷する印刷ジョブの前に挿入する。すなわち、印刷中のロール紙Ｓと同じロール紙Ｓで印刷する印刷ジョブを受け入れた場合は、他のロール紙Ｓに印刷する印刷ジョブの前に挿入することにより、ロール紙Ｓの切り替え処理の頻度を低減して印刷装置１００ａの稼働効率を向上させる。
【００５９】
次に、印刷装置１００ａにかかる印刷方法について説明する。図８から図１１は印刷方法を説明する説明図である。本実施形態の印刷装置１００ａでは、印刷ジョブを投入する際に、ロール紙Ｓの切り替えが入る場合には、印刷待機中の印刷ジョブの数に応じて、ロール紙Ｓの切り替え処理を開始するまでの待機時間を変更する。さらに、印刷中のロール紙Ｓに印刷可能な印刷ジョブを受け付けた場合には、印刷中のロール紙Ｓに印刷可能な印刷ジョブを、印刷待機中の他のロール紙Ｓに印刷する印刷ジョブの前に挿入する。
【００６０】
まず、図８の例について説明する。図８では、２つの印刷ジョブＡ，Ｅが記憶部４０にスプールされ、印刷ジョブＡが印刷実行に投入（移行）されている状態を示している。従って、図８の例では、１つの印刷ジョブＥが印刷待機中の印刷ジョブである。そして、印刷ジョブＡは第１ロール紙Ｓ１で印刷が実行され、印刷ジョブＥは第２ロール紙Ｓ２が指定されている。従って、印刷ジョブＡに次いで印刷ジョブＥが印刷実行に投入される際には第１ロール紙Ｓ１から第２ロール紙Ｓ２への切り替えが入る。
ここで、印刷ジョブＦを受け付けた場合について説明する。印刷ジョブＦは第１ロール紙Ｓ１が指定されている。この場合、受け付けた印刷ジョブＦでは第１ロール紙Ｓ１が指定されており、印刷実行中の印刷ジョブＡで使用されている第１ロール紙Ｓ１と同じである。このため、図９に示すように印刷ジョブＦを印刷ジョブＥ（第２ロール紙Ｓ２を指定）の前に挿入する。
これにより、印刷ジョブＡの印刷が終了すると、印刷ジョブＡに次いで印刷ジョブＦが投入される。従って、印刷中の印刷ジョブＡに続けて同じ第１ロール紙Ｓ１を用いる印刷ジョブＦの印刷処理が実行されるため、ロール紙Ｓの切り替え処理の回数が少なくなり、印刷処理の効率を高めることができる。
【００６１】
一方、図９の例において、印刷ジョブＥが印刷実行に投入する際に、第１ロール紙Ｓ１から第２ロール紙Ｓ２の切り替え処理を開始するまでの待機時間を２０ｓｅｃ．と設定する。すなわち、図９の例では、印刷待機中の印刷ジョブの数が少ないため、待機時間をより長く設定することにより、第１ロール紙Ｓ１から第２ロール紙Ｓ２に切り替わるまでの時間の猶予が付与される。すなわち、待機時間を２０ｓｅｃ．の間に、ロール紙Ｓの設定に誤りがあったことを気付くことが可能となる。
【００６２】
また、図８及び図９の例において、待機時間の間に、給紙されていないロール紙Ｓの予備搬送処理を行ってもよい。なお、予備搬送処理については第１実施形態と同様なので説明を省略する。
【００６３】
次いで、図１０及び図１１を用いて他の印刷方法について説明する。
図１０では、２つの印刷ジョブＡ，Ｅが記憶部４０にスプールされ、印刷ジョブＡが印刷実行に投入（移行）されている状態を示している。従って、図１０の例では、１つの印刷ジョブＥが印刷待機中の印刷ジョブである。そして、印刷ジョブＡは第１ロール紙Ｓ１で印刷が実行され、印刷ジョブＥは第２ロール紙Ｓ２が指定されている。従って、印刷ジョブＡに次いで印刷ジョブＥが印刷実行に投入される際には第１ロール紙Ｓ１から第２ロール紙Ｓ２への切り替えが入る。
ここで、印刷ジョブＧを受け付けた場合について説明する。印刷ジョブＧは第２ロール紙Ｓ２が指定されている。この場合、受け付けた印刷ジョブＧでは第２ロール紙Ｓ２が指定されており、印刷実行中の印刷ジョブＡで使用されている第１ロール紙Ｓ１と異なる。この場合、図１１に示すように印刷ジョブＧを印刷ジョブＥの後に配置する。
これにより、印刷ジョブＡの印刷が終了すると、印刷ジョブＡに次いで印刷ジョブＥが投入される。従って、第１ロール紙Ｓ１から第２ロール紙Ｓ２への切り替えが開始される。なお、図１０及び図１１の例において、印刷ジョブＥが印刷実行に投入する際に、第１ロール紙Ｓ１から第２ロール紙Ｓ２の切り替え処理を開始するまでの待機時間を２０ｓｅｃ．と設定する。すなわち、図１０及び図１１の例では、印刷待機中の印刷ジョブの数が少ないため、待機時間をより長く設定することにより、第１ロール紙Ｓ１から第２ロール紙Ｓ２に切り替わるまでの時間の猶予が付与される。すなわち、待機時間を２０ｓｅｃ．の間に、ロール紙Ｓの設定に誤りがあったことを気付くことが可能となる。
【００６４】
また、図１０及び図１１の例において、待機時間の間に、給紙されていないロール紙Ｓの予備搬送処理を行ってもよい。なお、予備搬送処理については第１実施形態と同様なので説明を省略する。
【００６５】
（第３実施形態）
次に、印刷制御装置の構成について説明する。なお、第１実施形態と同一の構成については、同一の符号を使用し、重複する説明は省略する。
図１２は印刷制御装置の制御部の構成を示すブロック図である。
図１２に示すように、印刷制御装置２００は、第１実施形態で説明した印刷装置１００から印刷機能を省いた構成であり、ネットワーク５を介して接続される印刷機能（印刷装置１０１）に対して印刷ジョブを送信することができる。
【００６６】
印刷制御装置２００は、ヒューマンインターフェイスとしての入力部７０と表示部７１を備えている。また、印刷ジョブの受送信可能な印刷ジョブ情報取得部５６を備えている。なお、印刷制御装置２００は、例えば、入力部７０としてキーボード、表示部７１としてディスプレイ、記憶部４０としてＨＤＤを備えたパーソナルコンピューターで構成することが可能であり、待機時間設定部５２と、媒体取得部５４とを備えている。
【００６７】
印刷制御装置２００が印刷装置１０１に送信する印刷ジョブは、ＰＣ８からインプット（受信）することができる他、印刷制御装置２００で生成することもできる。印刷制御装置２００は、印刷装置１０１が印刷装置１００と同様に複数の格納部から供給されるロール紙Ｓを切り替えながら印刷を行う場合に、印刷ジョブを投入する際に、ロール紙Ｓの切り替えが入る場合には、印刷待機中の印刷ジョブの数に応じて、ロール紙の切り替え処理を開始するまでの待機時間を変更する。そして、待機時間を変更した印刷ジョブを送信することにより、印刷装置１０１の駆動を制御する。
【００６８】
媒体取得部５４は、給紙されているロール紙Ｓの種類を取得するものである。具体的には、第１格納部３１に格納されている第１ロール紙Ｓ１の種類及び第２格納部３２に格納されている第２ロール紙Ｓ２の種類の情報を取得するとともに、現在印刷実行中にプラテン１３上に供給されているロール紙Ｓ（第１ロール紙Ｓ１または第２ロール紙Ｓ２）の情報を取得する。第１格納部３１に格納されている第１ロール紙Ｓ１の種類及び第２格納部３２に格納されている第２ロール紙Ｓ２の種類及び現在印刷実行中にプラテン１３上に供給されているロール紙Ｓの特定についての情報は、ネットワーク５を介して印刷装置１０１の駆動情報を受信することにより取得することができる。
【００６９】
待機時間設定部５２は、印刷装置１０１において印刷ジョブを投入する際に、ロール紙Ｓの切り替えが入る場合には、印刷待機中の印刷ジョブの数に応じて、ロール紙Ｓの切り替え処理を開始するまでの待機時間を変更する。すなわち、印刷ジョブを印刷実行に移行する際に、当該印刷ジョブにかかる印刷を実行するにあたり、ロール紙Ｓの切り替えが入る場合には、すでに記憶部４０にスプールされている印刷ジョブの数に応じて、ロール紙Ｓの切り替え処理を開始するまでの待機時間を変更する。
待機時間の設定は、待機時間設定部５２によって適宜設定することができる。例えば、待機時間設定部５２には、印刷待機中の印刷ジョブの数と待機時間とのテーブルデータを有し、制御部５０において記憶部４０にスプールされている印刷待機中の印刷ジョブの数を随時読み出し、テーブルデータによって割り付けられた待機時間を設定する。この場合、テーブルデータは印刷待機中の印刷ジョブの数が少ないほど待機時間が長くなるように作成される。なお、待機時間の設定方法は、第１実施形態と同様なので説明を省略する（図４、図５、図６参照）。
【００７０】
印刷ジョブ情報取得部５６は、ネットワーク５を介して接続されたＰＣ８から印刷ジョブを受信し、印刷ジョブにおいて指定されたロール紙Ｓの種類等の情報を取得する。また、受信した印刷ジョブを記憶部４０にスプールする。さらに、待機時間設定部５２によって待機時間が設定された印刷ジョブを印刷装置１０１に送信する機能を備えている。
【００７１】
以上、本実施形態によれば、以下の効果を得ることができる。
【００７２】
印刷制御装置２００は、媒体取得部５４と印刷ジョブ情報取得部５６と待機時間設定部５２とを備え、印刷待機中の印刷ジョブ数が少ない場合には、次の印刷ジョブの処理がすぐに開始されてしまう可能性が、印刷ジョブ数が少ないほど長い待機時間が設定されるため、印刷装置１０１において間違った印刷ジョブがすぐに処理されることを防止し、印刷処理の効率の低下を抑制することができる。
【００７３】
なお、本発明は上述した実施形態に限定されず、上述した実施形態に種々の変更や改良等を加えることが可能である。変形例を以下に述べる。
【００７４】
（変形例１）第２実施形態では、印刷装置１００ａは印刷ジョブ挿入設定部５５を備え、印刷中のロール紙Ｓに印刷可能な印刷ジョブを受け付けた場合には、印刷中のロール紙Ｓに印刷可能な印刷ジョブを、印刷待機中の他のロール紙Ｓに印刷する印刷ジョブの前に挿入したが、印刷ジョブの印刷処理の優先の有無に応じて、当該印刷ジョブを印刷待機中の他の印刷ジョブの前に挿入してもよい。図１３から図１５は、本変形例にかかる印刷方法を説明する説明図である。
【００７５】
図１３に示すように、４つの印刷ジョブＡ，Ｂ，Ｃ，Ｅが記憶部４０にスプールされ、印刷ジョブＡが印刷実行に投入（移行）されている状態を示している。
従って、図１３の例では、３つの印刷ジョブＢ，Ｃ，Ｅが印刷待機中の印刷ジョブである。そして、印刷ジョブＡは第１ロール紙Ｓ１で印刷が実行され、印刷ジョブＢは第１ロール紙Ｓ１が指定され、印刷ジョブＣも第１ロール紙Ｓ１が指定され、印刷ジョブＥは第２ロール紙Ｓ２が指定されている。従って、この状態では印刷ジョブＡに次いで印刷ジョブＢが印刷実行に投入される際に第１ロール紙Ｓ１から第２ロール紙Ｓ２への切り替えは不要である。
ここで、印刷ジョブＨを受け付けた場合について説明する。印刷ジョブＨは第２ロール紙Ｓ２が指定されている。さらに、印刷ジョブＨは印刷処理の優先有と指定されている。
この場合、図１４に示すように印刷ジョブＨを印刷ジョブＢの前に挿入する。これにより、印刷ジョブＡの印刷が終了すると、印刷ジョブＡに次いで印刷ジョブＨが投入される。従って、印刷処理の優先度が高い印刷ジョブＨを効率良く印刷実行することにより、ユーザーの利便性を高めることができる。
【００７６】
一方、図１４の例において、印刷ジョブＨが印刷実行に投入する際に、第１ロール紙Ｓ１から第２ロール紙Ｓ２の切り替え処理を開始するまでの待機時間を２０ｓｅｃ．と設定する。すなわち、図１４の例では、ロール紙Ｓの切り替えが入るまでの印刷待機中の印刷ジョブの数が少ないため、待機時間をより長く設定することにより、第１ロール紙Ｓ１から第２ロール紙Ｓ２に切り替わるまでの時間の猶予が付与され、ロール紙Ｓの設定に誤りがあったことを気付くことが可能となる。
また、印刷ジョブＢが印刷実行に投入する際に、第２ロール紙Ｓ２から第１ロール紙Ｓ１の切り替え処理を開始するまでの待機時間を２０ｓｅｃ．と設定してもよい。このようにすれば、第２ロール紙Ｓ２から第１ロール紙Ｓ１に切り替わるまでの時間の猶予が付与され、ロール紙Ｓの設定に誤りがあったことを気付くことが可能となる。なお、待機時間は記憶部４０にスプールされた印刷ジョブの数が少ないほど長くなるように設定すればよい。
【００７７】
さらに、図１５の例に示すように、印刷ジョブＨの挿入処理に加え、印刷ジョブＥを、印刷ジョブＢの前に挿入（並び替え）してもよい。詳細には、印刷ジョブＥを、印刷ジョブＨと印刷ジョブＢとの間に挿入する。
これにより、印刷ジョブＡの印刷が終了すると、次に印刷ジョブＨが投入される。印刷ジョブＨの次に印刷ジョブＥが投入される。印刷ジョブＨと印刷ジョブＥとは同じ第２ロール紙Ｓ２を使用するため、第１ロール紙Ｓ１から第２ロール紙Ｓ２への切り替え処理が不要になり、印刷処理全体における効率を高めることができる。
【００７８】
（変形例２）第１実施形態では、印刷ジョブの数が少ないほど待機時間が長くなるように設定変更したが、この構成に限定されない。例えば、給紙されているロール紙Ｓの種類を取得する媒体取得部５４と、印刷ジョブが指定するロール紙Ｓの種類を取得する印刷ジョブ情報取得部５１と、を備え、印刷待機中の印刷ジョブにおけるロール紙Ｓの切り替えが発生するまでの時間に応じて、ロール紙の切り替え処理を開始するまでの待機時間を変更する構成であってもよい。さらには、上記待機時間は、ロール紙の切り替えが発生するまでの時間が短いほど、待機時間を長くする。
待機時間の設定は、待機時間設定部５２によって適宜設定することができる。例えば、待機時間設定部５２では、印刷待機中の全印刷ジョブの印刷データの加算量と待機時間とのテーブルデータを有し、制御部５０では印刷待機中の各印刷データの印刷データ量を読み出し、印刷待機中の全印刷データの印刷データ量を加算する。そして、テーブルデータによって割り付けられた待機時間を設定する。この場合、テーブルデータは印刷待機中の全印刷ジョブの印刷データ量が少ないほど待機時間が長くなるように作成される。
印刷データ量が少ないほど印刷処理時間が短くなる可能性が高く、印刷処理時間が短い印刷ジョブが連続した場合には、次の印刷ジョブの処理がすぐに開始されてしまう。このため、印刷データ量に応じてロール紙Ｓの切り替えが発生する時間が短いほど長い待機時間が設定されるため、間違った印刷ジョブがすぐに処理されることを防止することができる。なお、本変形例では、印刷ジョブの印刷データの量に応じて待機時間を変更したが、これに限らず、例えば、印刷部数に応じて待機時間を変更してもよい。印刷部数が少ないほど印刷処理時間が短くなる可能性が高く、印刷処理時間が短い印刷ジョブが連続した場合には、次の印刷ジョブの処理がすぐに開始されてしまう。このため、印刷部数が少なくなるほど待機時間を長くすることにより間違った印刷ジョブがすぐに処理されることを防止することができる。
【００７９】
（変形例３）第１実施形態では記憶部４０にスプールされた印刷ジョブの数が少ないほど待機時間が長くなるように設定したが、この構成に限定されない。例えば、待機時間は、供給されているロール紙Ｓの残量に応じて設定されてもよい。この場合、プラテン１３に供給されているロール紙Ｓの残量が少ないほど待機時間を長く設定する。
例えば、印刷実行中の印刷ジョブにおいて第１ロール紙Ｓ１を使用しており、次の印刷ジョブでは第２ロール紙Ｓ２が指定されている場合において、第１ロール紙Ｓ１の残量に応じて待機時間を設定する。
すなわち、第１ロール紙Ｓ１の残量が僅かであるにもかかわらず、第１ロール紙Ｓ１から第２ロール紙Ｓ２に切り替え、その後に、再度第２ロール紙Ｓ２から第１ロール紙Ｓ１に切り替えた場合、第１ロール紙Ｓ１の残量が比較的早く無くなり、連続印刷処理ができなくなり、新たな第１ロール紙Ｓ１の供給作業が必要となってしまう。
従って、ロール紙Ｓの残量が少ないほど待機時間を長くすることで一つのロール紙Ｓを使い切ることができ、印刷処理全体の効率を高めることができる。
なお、供給されているロール紙Ｓの残量についてはロール紙格納部３０に新たなロール紙Ｓをセットした際に、当該ロール紙Ｓの既知の残量を操作パネル６０から入力し、制御部５０において、操作パネル６０から入力された既知の残量から実際に印刷処理された印刷量を減算することにより取得することができる。また、待機時間の設定については、待機時間設定部５２において、ロール紙Ｓの残量と待機時間とのテーブルデータに基づいて設定する。この場合、テーブルデータはロール紙Ｓの残量が少ないほど待機時間が長くなるように作成される。
【００８０】
（変形例４）第１及び第２実施形態の印刷装置１００，１００ａでは、ロール紙Ｓをカッターで切断して排紙する構成を例に挙げて説明したが、これに限定されない。例えば、印刷装置がロール・ツー・ロールの構成を有したものであってもよい。なお、この場合において、待機時間が終了したときに、供給されている媒体をカッター２４で切断する。
このようにすれば、ロール・ツー・ロールの構成のように容易に退避できない媒体形態であっても、カッター２４によって切断することにより退避可能となり、媒体の切り替えを容易に行うことができる。
【００８１】
（変形例５）第１及び第２実施形態の印刷装置１００，１００ａまたは印刷制御装置２００において、印刷ジョブを受け付けたときに、当該印刷ジョブを送信した端末（例えば、ＰＣ８）に対して、当該印刷ジョブの印刷状況を通知する通知送信部を付加してもよい。
印刷ジョブの印刷状況の通知とは、例えば、ＰＣ８から送信した印刷ジョブの印刷順番や、他の印刷ジョブの挿入による印刷実行の保留する旨等である。
このようにすれば、印刷ジョブの状況がＰＣ８に通知されるため、ユーザーはＰＣ８を介して印刷ジョブの状況を確認でき、ユーザーの利便性を向上させることができる。
【００８２】
（変形例６）第１及び第２実施形態の印刷装置１００，１００ａまたは印刷制御装置２００において、印刷ジョブに希望する印刷開始時刻を設定し、その時刻に達すると、強制的に媒体を切り替えてもよいか確認する、確認モードを有する構成であってもよい。または、操作パネル６０から該当の印刷ジョブに対して希望する印刷開始時刻を設定する構成であってもよい。
このようにすれば、他の印刷ジョブの挿入により、いつまでも印刷実行されないということを回避することができる。また、設定した印刷開始時刻に達すると、媒体の切り替えの可否を確認できるため、ユーザーの利便性を高めることができる。
【符号の説明】
【００８３】
１０…印刷部、１１…インクジェットヘッド、１２…キャリッジ、１３…プラテン、２０…ロール紙除給部、４０…記憶部、５０…制御部、５１…印刷ジョブ情報取得部、５２…待機時間設定部、５３…印刷制御部、５４…媒体取得部、５５…印刷ジョブ挿入設定部、５６…印刷ジョブ情報取得部、６０…操作パネル、７０…入力部、７１…表示部、１００，１００ａ…印刷装置、２００…印刷制御装置。
【図１】
2018196949.tif 000003
【図２】
2018196949.tif 000004
【図３】
2018196949.tif 000005
【図４】
2018196949.tif 000006
【図５】
2018196949.tif 000007
【図６】
2018196949.tif 000008
【図７】
2018196949.tif 000009
【図８】
2018196949.tif 000010
【図９】
2018196949.tif 000011
【図１０】
2018196949.tif 000012
【図１１】
2018196949.tif 000013
【図１２】
2018196949.tif 000014
【図１３】
2018196949.tif 000015
【図１４】
2018196949.tif 000016
【図１５】
2018196949.tif 000017